(57)【特許請求の範囲】
【請求項１】
信号光を伝播する、層状に広がる光伝送層を備えた光バスであって、
前記光伝送層の周縁部に、信号光の入射ないし信号光の出射のうちの少なくとも一方を担う複数の信号光入出力部を有すると共に、
前記光伝送層の中央部に、前記光伝送層と屈折率が異なる光透過性媒質からなる散乱体を有することを特徴とする光バス。
【請求項２】
前記散乱体は、前記信号光を反射または屈折させて前記光伝送層内に散乱させるものであることを特徴とする請求項１記載の光バス。
【請求項３】
前記光伝送層の周縁部のうち、前記信号光入出力部を除く部分に該光伝送層内を伝播してきた信号光を吸収する吸収体を有することを特徴とする請求項１または２記載の光バス。
【請求項４】
前記光伝送層の周縁部のうち、隣接する前記信号光入出力部どうしの間に、所定の方向から伝播されてきた信号光のみを信号光入出力部に導入するための光ガイドを有することを特徴とする請求項１または２記載の光バス。
【請求項５】
信号光を伝播する、層状に広がる光伝送層を備えた光バスであって、
前記光伝送層の周縁部に、信号光の入射ないし信号光の出射のうちの少なくとも一方を担う複数の信号光入出力部を有すると共に、前記光伝送層の中央部に、前記光伝送層と屈折率が異なる光透過性媒質からなる散乱体を有する光バス、及び
信号光を出射する信号光出射端及び該信号光出射端から出射される信号光に担持させる信号を生成する電子回路と、信号光を入射する信号光入射端及び該信号光入射端から入射した信号光が担持する信号に基づく信号処理を行う電子回路とのうちの少なくとも一方が搭載され、前記信号光出射端ないし前記信号光入射端が前記信号光入出力部において前記光バスと結合される状態に配置される複数枚の回路基板を備えたことを特徴とする情報処理装置。
【請求項６】
前記散乱体は、前記信号光を反射または屈折させて前記光伝送層内に散乱させるものであることを特徴とする請求項５記載の情報処理装置。
【請求項７】
前記複数の回路基板は、複数の前記信号光出射端から選ばれた一の信号光出射端と複数の前記信号光入射端から選ばれた一の信号光入射端とを結んだ直線が前記光散乱体を通過するような信号光出射端と信号光入射端との組合せが少なくとも一つ存在するように配置されていることを特徴とする請求項５または６記載の情報処理装置。
【発明の詳細な説明】
【０００１】
【発明の属する技術分野】
本発明は、信号光の伝送を担う光バス、及び光バスを用いて信号の送受信を行う情報処理装置に関する。
【０００２】
【従来の技術】
超大規模集積回路（ＶＬＳＩ）の開発により、データ処理システムで使用する回路基板（ドーターボード）の回路機能が大幅に増大してきている。回路機能の増大につれて各回路基板に対する信号接続数が増大するため、各回路基板（ドーターボード）間をバス構造で接続するデータバスボード（マザーボード）には、多数の接続コネクタ及び接続線を用いた並列アーキテクチャが採用されてきている。接続線の多層化と微細化により並列化を進めることによりパラレル電気バスの動作速度の向上が図られてきたが、クロックが高速化するのに伴い接続配線間容量や接続配線抵抗に起因する信号遅延により、システムの処理速度がパラレル電気バスの動作速度によって制限される問題が生じてきた。また、パラレル電気バス接続配線の高密度化による電磁ノイズ（ＥＭＩ：Ｅｌｅｃｔｒｏｍａｇｎｅｔｉｃ  Ｉｎｔｅｒｆｅｒｅｎｃｅ）、及び信号線間のクロストークの問題もシステムの処理速度向上に対しては大きな制約となる。
【０００３】
このような問題を解決しパラレル電気バスの動作速度の向上を図るために、光インターコネクションと呼ばれるシステム内光接続技術が提案されている。
ＡＲＴＥＣＨ  ＨＯＵＳＥ社から出版されている『Ｃｈｒｉｓｔｏｐｈｅｒ  Ｔｏｃｃｉ  ａｎｄ  Ｈ．Ｊｏｈｎ  Ｃａｕｌｆｉｅｌｄ，“Ｏｐｔｉｃａｌ  Ｉｎｔｅｒｃｏｎｎｅｃｔｉｏｎ  Ｆｏｕｎｄａｔｉｏｎｓ  ａｎｄ  Ａｐｐｌｉｃａｔｉｏｎｓ”』の第６章の中に光バスに関する記述がある。それによると、各回路基板間は１本の光ファイバにより接続されており、各回路基板のインターフェイスは発光素子、受光素子、パラレル−シリアル変換回路で構成されている。回路基板上の電子回路は３２ビットのパラレル電気バスで接続されており、クロックタイムは約５０ＭＨｚと仮定されている。この場合、パラレル電気バスとシリアル光バス間のパラレル−シリアル変換回路は約２．７ＧＨｚで動作することが要求される。
【０００４】
このように、パラレルの電気信号をシリアルの光信号に変換して回路基板間を光ファイバで接続する場合には、バスのデータ転送レートがパラレル−シリアル変換回路の動作速度で決まってしまい、電子回路のビット数を６４ビットや１２８ビットに増やしても、データ転送レートをそれに応じて速くすることができないという問題がある。データ転送レートを速くするためにパラレル−シリアル変換回路の動作速度を上げようとすると、高価な電子回路が必要となると共にパラレル−シリアル変換回路での消費電力が飛躍的に増大し、実用上大きな問題となる。
【０００５】
特開平２−４１０４２号公報には、高速・高感度の発光／受光デバイスを用いた光データ伝送方式をデータバスに適用した例が開示されており、そこには、各回路基板の表裏両面に２組の発光／受光デバイスを配置し、システムフレームに組み込まれた隣接する回路基板上の発光／受光デバイス間を空間的に光で結合した、各回路基板相互間のループ伝送用の直列光データバスが提案されている。
【０００６】
この方式では、各回路基板が連鎖状に接続されており、ある１枚の回路基板から発信されたデータは、各回路基板上で電気／光変換及び光／電気変換を繰り返しながら、システムフレームに組み込まれた全ての回路基板に順次伝達される。このため、データ転送レートは各回路基板上に配置された受光／発光デバイスの電気／光変換速度及び光／電気変換速度に依存すると同時にその制約を受ける。また、各回路基板相互間のデータ伝送には、各回路基板上に配置された受光／発光デバイスによる、自由空間を介在させた光結合を用いているため、隣接する回路基板表裏両面に配置されている発光／受光デバイスの光学的位置合わせにより全ての回路基板が光学的に結合されている必要がある。さらに、各回路基板は自由空間を介して結合されているため、隣接する光データ伝送路間の干渉（クロストーク）が発生することが予想される。従って、クロストークの発生を抑えるためにビット数をそれほど多くとることができないという問題も予想される。また、システムフレーム内の環境による影響、例えば埃などによる信号光の散乱などのために、データの伝送不良が発生することも予想される。さらに、各回路基板が連鎖状に接続されているため、いずれかの回路基板が取り外された場合には、そこで接続が途切れてしまい、それを補うための余分な回路基板が必要となる。すなわち、回路基板を自由に着脱することができず、回路基板の数が固定されてしまうという問題がある。
【０００７】
自由空間を利用した回路基板相互間のデータ伝送の他の技術として、特開昭６１−１９６２１０号公報には次のようなデータ伝送方式が開示されている。この方式では、互いに平行な２面を有するプレートの表面に回折格子や反射素子を配置し、特定の回路基板から発せられた光信号が、回折格子や反射素子により構成されたプレート内の光路を経由して特定の回路基板に伝達される。この方式では、回路基板間をパラレル接続することができるという利点はあるが、１点から発せられた光信号は特定の１点にしか伝送することができず、電気バスのように複数の回路基板間を網羅的に伝送させることはできない。また、プレート内部を自由空間として利用しているので複雑な光学系が必要となり、位置合わせなども難しいため、光学素子の位置ずれが原因となって、隣接する光データ伝送路間のクロストークが発生しデータの伝送不良を起こすことが予想される。また、回路基板相互間の接続関係はプレート表面に配置された回折格子や反射素子により決定されるため、回路基板を自由に着脱することができずシステムの拡張性が低いという問題もある。
【０００８】
【発明が解決しようとする課題】
以上説明したように、従来、多くの形式の光バスが提案されているが、電気バスのように１点から発せられた信号を複数の回路基板に同時に伝達することのできる光バスは見当たらない。１点から発せられた信号を複数の回路基板に同時に伝達することのできる光バスを得ることができれば、複数の回路基板への信号伝達時間の偏差が問題となるような極めて高速の信号処理を行う情報処理装置に光バスを用いることができる。
【０００９】
本発明は、上記の事情に鑑み、複数の回路基板相互間をほぼ同一の信号伝達時間で信号を伝送することのできる光バス、及びそのような光バスを用いて信号の送受信を行う情報処理装置を提供することを目的とする。
【００１０】
【課題を解決するための手段】
上記の目的を達成する本発明の光バスは、信号光を伝播する、層状に広がる光伝送層を備えた光バスであって、光伝送層の周縁部に、信号光の入射ないし信号光の出射のうちの少なくとも一方を担う複数の信号光入出力部を有すると共に、光伝送層の中央部に、信号光入出力部から入射した信号光を散乱させる散乱体を有することを特徴とする。
【００１１】
なお、上記光バスは、上記光伝送層の周縁部のうち、上記信号光入出力部を除く部分に光伝送層内を伝播してきた信号光を吸収する吸収体を有するものであってもよい。
また、上記光バスは、上記光伝送層の周縁部のうち、隣接する信号光入出力部どうしの間に、所定の方向から伝播されてきた信号光のみを信号光入出力部に導入するための光ガイドを有するものであってもよい。
【００１２】
また、上記の目的を達成する本発明の情報処理装置は、信号光を伝播する、層状に広がる光伝送層を備えた光バスであって、光伝送層の周縁部に、信号光の入射ないし信号光の出射のうちの少なくとも一方を担う複数の信号光入出力部を有すると共に、光伝送層の中央部に、信号光入出力部から入射した信号光を散乱させる散乱体を有する光バス、及び信号光を出射する信号光出射端及びその信号光出射端から出射される信号光に担持させる信号を生成する電子回路と、信号光を入射する信号光入射端及びその信号光入射端から入射した信号光が担持する信号に基づく信号処理を行う電子回路とのうちの少なくとも一方が搭載され、上記信号光出射端ないし信号光入射端が信号光入出力部において上記光バスと結合される状態に配置される複数枚の回路基板を備えたことを特徴とする。
【００１３】
【発明の実施の形態】
以下、本発明の実施形態について説明する。
図１は、本発明の情報処理装置の一実施形態の概略構成図である。
図１（Ａ）には、情報処理装置１００が示されており、この情報処理装置１００には、中央に円柱形の光バス１０１が配置され、その周囲に複数の回路基板１０３が配置されている。各回路基板１０３には電子回路１０４が実装されており、これら各回路基板１０３の電子回路１０４が、光バス１０１を経由して組み合わされて情報処理装置１００が構成される。
【００１４】
図１（Ｂ）は、光バス１０１の構造を示す図である。図１（Ｂ）に示すように、光バス１０１はコア層１１１とクラッド層１１２が交互に積層された構造となっており、コア層１１１と、コア層１１１の両面を挟む２層のクラッド層１１２により、信号光を伝播する光伝送層１１５が形成される。回路基板１０３から送信されるパラレル電気信号は１ビット毎に電気／光変換されて光バス１０１の光伝送層１１５に入射される。この時、光伝送層１１５の各１層がそれぞれ１ビットに対応する。
【００１５】
コア層１１１には光線透過率が高くクラッド層１１２よりも屈折率の高い材料が用いられる。例えば、コア層１１１としてプラスチック材料であるポリメチルメタクリレートが用いられれば、クラッド層１１２としてはポリメチルメタクリレートより屈折率の低いフッ素ポリマーなどが用いられる。
図１（Ｃ）は、光バスの他の実施形態であり、隣接する２層の光伝送層１１５の間に漏れ光を遮断する遮断層１１３を挿入して光バス１０２を形成したものである。こうすることにより、ビット間のクロストーク防止効果をさらに高めることができる。光遮断層１１３としては金属薄膜や光不透過性のプラスチックまたは光を吸収する材料などが用いられる。
【００１６】
図２は、図１の情報処理装置を光バスの光伝送層に平行な面（図１に示す矢印Ａ−Ａ’に沿う面）で切断して示す水平断面図である。
図２に示すように、この情報処理装置２００は、コア層２１１及びクラッド層（図１参照）から成る光伝送層２１５が積層されて形成された断面円形の光バス２１０、及び光バス２１０の周囲に配備された１６枚の回路基板２２１〜２３６とから構成されている。各回路基板上には電子回路１０４が搭載され、これらの複数の電子回路１０４が組み合わされて所定の情報処理が行われる。また、各回路基板２２１〜２３６は、受光素子及び発光素子から成る信号光入出射端２４０をそれぞれ有しており、この信号光入出射端２４０が光バス２１０の光伝送層２１５の周縁部に設けられた信号光入出力部２１６において光バス２１０と光学的に結合している。
【００１７】
コア層２１１の中央部には、コア層２１１の屈折率と異なる屈折率を有する散乱体２１２が形成されている。散乱体２１２は、信号光入出力部２１６から入射された信号光を屈折または反射させて光伝送層２１５内に散乱させる。
この情報処理装置２００では、１枚の回路基板、例えば回路基板２２１のパラレル電気信号の各ビット信号は、信号光入出射端２４０から信号光として出射され、各信号光は、光バス２１０の光伝送層２１５の周縁部の信号光入出力部２１６からコア層２１１の中央部に向かって入射する。入射した入射光２４０ａは、図２に矢印で示すように、コア層２１１内を進みコア層２１１と屈折率の異なる散乱体２１２に当たり、散乱体２１２で反射あるいは屈折され、回路基板２２１以外の１５枚の各回路基板２２２〜２３６の信号光入出射端２４０に達する。各回路基板２２２〜２３６の各信号光入出射端２４０は受光した信号光を電気信号に変換する。
【００１８】
散乱体２１２で反射あるいは屈折された光の光伝送層２１５内における信号伝送経路長は、各回路基板相互間でほぼ同一であり、従って、各回路基板相互間の信号光の伝達時間もほぼ同一である。このようにして回路基板２２１からの信号は回路基板２２１以外の１５枚の回路基板２２２〜２３６にまんべんなく、しかもほぼ同一の信号伝達時間で伝送される。同様に、回路基板２２１以外の回路基板から発せられる信号も他の１５枚の回路基板にまんべんなく、しかもほぼ同一の信号伝達時間で伝送される。
【００１９】
図３は、本実施形態に用いられる光伝送層及び散乱体による光の反射及び屈折状態を示す図である。
図３には、図２に示す情報処理装置２００における、光バス２１０の光伝送層２１５内の光の反射及び屈折状態を光学シミュレータ（Ｃｏｄｅ−Ｖ）でシミュレートした結果が示されている。図３に示すように、断面円形の光バス３００の光伝送層３１５内の中央部に、光伝送層３１５の径より小さい径を有する断面円形の散乱体３１２が形成されている。散乱体３１２は、光伝送層３１５を形成するコア層の屈折率より高い屈折率を有する材料で形成されている。
【００２０】
シミュレーションの結果は、図３に示すように、光バス３００内の光伝送層３１５の周縁部の一点に設けられた光源３３０から光伝送層３１５内に入射された入射光３３１が光伝送層３１５の中央部に設けられた散乱体３１２に照射されると、入射光３３１の一部は散乱体３１２で反射され反射光３３２となって光伝送層３１５の周縁部に到達し、また、他の一部は散乱体３１２内で屈折され透過光３３３となって光伝送層３１５の周縁部に到達する。反射光３３２が到達する領域は、光源３３０側の約半周強の領域Ａであり、透過光３３３が到達する領域は、光源３３０の反対側の約半周弱の領域Ｂである。
【００２１】
光伝送層３１５の径と散乱体３１２の径の比率、及びコア層の屈折率と散乱体３１２の屈折率の比率を適切に選べば、領域Ａと領域Ｂとにより光伝送層３１５の全周がカバーされる。なお、図３における、光伝送層３１５の径と散乱体３１２の径の比率は約１：０．２５、コア層の屈折率と散乱体３１２の屈折率の比率は約１：１．８である。
【００２２】
このように、光伝送層３１５内の中央部に散乱体３１２を設けることにより、一点の光源から光伝送層３１５の中央部に向けて入射された入射光３３１を光伝送層３１５の周縁部全周にまんべんなく伝播させることができる。
なお、光源から入射される光に方向性が無い場合は、入射された光の一部は光源近傍の周縁部に直接照射される。このような直接照射光が生じないように光源から入射される入射光３３１に方向性を持たせ、かつ、上記の光伝送層及び散乱体の径の比率、及び屈折率の比率を適切に選ぶことにより、光伝送層３１５の中央部に設けられた散乱体３１２に向かう光のみとした場合、光源から反射光３３２及び透過光３３３の到達点までの全ての信号光伝送経路の距離をほぼ等距離とすることができる。
【００２３】
このように光源からの伝送経路の距離をほぼ等距離とすることにより、光伝送層内の各伝送経路毎の信号伝達時間の偏差を極めて小さくすることができ、複数の回路基板への信号伝達時間の偏差が問題となるような高度の情報処理装置を実現することができる。
なお、光源から出射される光に方向性を持たせるために種々の方法があり、その一つとして光源自体に方向性を持たせる方法がある。また、光伝送層３１５の内部に光の伝送をガイドする光ガイドを設けるようにしてもよい。光ガイドを備えた実施形態については後述する。
【００２４】
次に、本発明の情報処理装置の第２の実施形態について説明する。
図４は、第２の実施形態における情報処理装置を光伝送層に平行な面で切断した水平断面図である。
図４に示すように、情報処理装置４００は、コア層４１１及びクラッド層（図示せず）から成る光伝送層４１５が積層されて形成された断面矩形の光バス４１０、及び光バス４１０の各辺に８枚ずつ配備された合計３２枚の回路基板４２１〜４５２とから構成されている。各回路基板上には電子回路１０４が搭載され、これらの複数の電子回路１０４が組み合わされて所定の情報処理が行われる。また、各回路基板４２１〜４５２は、受光素子及び発光素子から成る信号光入出射端４４０をそれぞれ有しており、この信号光入出射端４４０が光バス４１０の光伝送層４１５の周縁部に設けられた信号光入出力部４１６において光バス４１０と光学的に結合している。
【００２５】
コア層４１１の中央部には、コア層４１１の屈折率と異なる屈折率を有する散乱体４１２が形成されている。散乱体４１２は、信号光入出力部４１６から入射した信号光を屈折または反射させて光伝送層４１５内に散乱させる。
この情報処理装置４００では、１枚の回路基板、例えば回路基板４２５のパラレル電気信号の各ビット信号は、信号光入出射端４４０から信号光として出射され、光バス４１０のコア層４１１の周縁部の信号光入出力部４１６からコア層４１１の中央部に向かって入射する。コア層４１１に入射した入射光４２５ａは、図４に矢印で示すように、コア層４１１内を進み散乱体４１２に当たり、散乱体４１２で反射及び屈折され、回路基板４２５以外の３１枚の回路基板４２１〜４２４及び回路基板４２６〜４５２の信号光入出射端４４０に達する。これら各回路基板の信号光入出射端４４０は受光した信号光を電気信号に変換する。このようにして、断面矩形の光バス４１０の場合も、断面円形の光バス２１０（図２参照）の場合と同様に、回路基板４２５からの信号は他の３１枚の回路基板４２１〜４２４及び回路基板４２６〜４５２にまんべんなく、しかもほぼ同一の信号伝達時間で伝送される。同様に、回路基板４２５以外の回路基板からの信号も他の３１枚の回路基板にまんべんなく、しかもほぼ同一の信号伝達時間で伝送される。
【００２６】
図５は、光バスと回路基板との接続状態を示す模式図である。
図５に示すように、それぞれが円盤状の、コア層５１１、クラッド層５１２、及び光遮断層５１３が積層されて形成された円柱状の光バス５０１の側面に回路基板５０２が光バス５０１の外側を取り囲むように配備されている。回路基板５０２の光バス５０１側の端部には信号光入出射端５４０が形成されており、信号光出射端として発光素子５２１、信号光入射端として受光素子５２２がそれぞれ取付けられている。発光素子５２１及び受光素子５２２はパッド５３１により回路基板５０２と電気的に接続されている。発光素子５２１は光バス５０１を介して他の回路基板に伝送する信号光を発する素子であり、図５に示すように、コア層５１１の端面から信号光を入射することができるように、固定ピン５４１で光バス５０１に固定されている。受光素子５２２は光バス５０１を介して他の回路基板から送られてきた信号光を受光するための素子であり、固定ピン５４１と同様の固定ピンで光バス５０１に固定されている。なお、図５では図示省略されているが、発光素子５２１及び受光素子５２２はプラスチックのカバーなどで保護されている。
【００２７】
なお、本実施形態では、回路基板５０１の信号光入出射端５４０としてディスクリートな発光素子５２１及び受光素子５２２が用いられているが、光バス５０１の光伝導層の厚さを薄く構成し、アレイ状の発光素子や受光素子を用いてもよい。
次に、本発明の情報処理装置の第３の実施形態について説明する。
【００２８】
図６は、第３の実施形態における情報処理装置を光伝送層に平行な面で切断した水平断面図である。
図６に示すように、情報処理装置６００は、断面円形のコア層６１１及びクラッド層（図示せず）より成る光伝送層６１５が積層されて形成された光バス６１０と、光伝送層６１５の周縁部に接続された１６枚の回路基板６２１〜６３６とから構成されている。各回路基板上には電子回路１０４が搭載され、これらの複数の電子回路１０４が組み合わされて所定の情報処理が行われる。また、各回路基板６２１〜６３６は、受光素子及び発光素子から成る信号光入出射端６４０をそれぞれ有しており、この信号光入出射端６４０が光バス６１０の光伝送層の周縁部に設けられた信号光入出力部６１６において光バス６１０と光学的に結合している。
【００２９】
コア層６１１の中央部には、コア層６１１の屈折率と異なる屈折率を有する散乱体６１２が形成されている。散乱体６１２は、信号光入出力部６１６から入射した信号光を屈折または反射させて光伝送層６１５内に散乱させる。すなわち、例えば、図６の回路基板６２８の発光素子から入射した入射光６２８ａは光伝送層６１５内を進み、コア層６１１の中央部にある散乱体６１２で屈折及び反射されて回路基板６２１〜６３６の信号光入出射端６４０に達する。
【００３０】
ところで、この情報処理装置６００には、光伝送層６１５の周縁部のうち信号光入出力部６１６を除く部分に、光伝送層６１５内を伝播してきた信号光を吸収する吸収体６１４が設けられている。吸収体６１４は黒色の物質を用いて形成される。この吸収体６１４により、光伝送層６１５の周縁部のうちの、信号光の入出力に無関係な部分での反射光が減り、ノイズ光の発生が抑制される。
【００３１】
また、この情報処理装置６００には、光伝送層６１５の周縁部のうち信号光入出力部６１６どうしの間に、所定の方向から伝播されてきた信号光のみを信号光入出力部６１６に導入するための光ガイド６１３が形成されている。例えば、回路基板６２８に注目すれば、回路基板６２８の発光素子から発せられて光伝送層６１５内に入射した入射光６２８ａは、回路基板６２８の信号光入出射端６４０の両側に形成された、２つの三角形状の光ガイド６１３により、中央部の散乱体６１２に向かう方向にのみ進む。また、回路基板６２８の受光素子に入射する光も、回路基板６２８の信号光入出射端６４０の両側に形成された、２つの三角形状の光ガイド６１３により、散乱体６１２で散乱された信号光以外の光が遮られる。なお、光ガイド６１３の表面は吸収体６１４と同様、黒色の物質を用いて形成されている。従って、或る回路基板から出射される信号光は、散乱体６１２に向う方向の信号光のみが有効に出射され、また、或る回路基板に入射する信号光は、散乱体６１２で散乱された信号光のみが入射する。そのため、この実施形態では、光ガイドが備えられていない場合に比べて、光伝送層６１５内での乱反射成分が吸収されるので、複数の回路基板相互間の信号伝達時間の偏差をより小さくすることができる。また、光ガイド６１３によって、散乱体６１２を経由しない信号光の伝播が遮られるためノイズの発生が抑制される。
【００３２】
以上、いくつかの実施形態に基づいて本発明を説明したが、本発明はこれら実施形態だけに限定されるものではない。例えば、光伝送層を形成するコア層の材料としては、前述のポリメチルメタクリレートのほかに、石英系ガラス材料及びポリスチレンやポリカーボネイトなどのプラスチック材料など、光透過性を有するいずれの材料を用いてもよい。
【００３３】
クラッド層の材料としては、前述のフッ素ポリマーに限定されず、コア材料よりも屈折率の低い材料であって、コア層の材料と共に良好な光閉じ込め効果を有する光伝送層を形成することのできる材料であればよい。
また、光伝送層は、必ずしも固体材料で構成しなければならない訳ではなく、シート状の薄い層内に光を閉じ込めることのできるものであれば、光伝送の媒体として液体あるいは気体を用いたものでもよい。
【００３４】
【発明の効果】
以上説明したように、本発明の光バスによれば、光伝送層の中央部に、信号光入出力部から入射された信号光を散乱させる散乱体を有するため、光バスに接続された複数の回路基板相互間の信号光伝送径路全てをほぼ等距離とすることができ、回路基板間の信号伝達時間の偏差が小さく、高度の信号伝達を実現することができる。
【００３５】
また、本発明の情報処理装置によれば、複数の回路基板相互間をほぼ等距離の信号光伝送経路で接続する光バスが複数の回路基板と結合されることにより情報処理装置が構成されるため、各回路基板間の信号伝達時間の偏差が小さく、極めて高速の情報処理を実行することができる。
【図面の簡単な説明】
【図１】本発明の情報処理装置の一実施形態の概略構成図である。
【図２】図１の情報処理装置を光バスの光伝送層に平行な面（図１に示す矢印Ａ−Ａ’に沿う面）で切断して示す水平断面図である。
【図３】本実施形態に用いられる光伝送層及び散乱体による光の伝播状態を示す図である。
【図４】第２の実施形態における情報処理装置を光伝送層に平行な面で切断した水平断面図である。
【図５】光バスと回路基板との接続状態を示す模式図である。
【図６】第３の実施形態における情報処理装置を光伝送層に平行な面で切断した水平断面図である。
【符号の説明】
１００    情報処理装置
１０１，１０２    光バス
１０３    回路基板
１０４    電子回路
１１１    コア層
１１２    クラッド層
１１３    遮断層
１１５    光伝送層
２００    情報処理装置
２１０    光バス
２１１    コア層
２１２    散乱体
２１５    光伝送層
２１６        信号光入出力部
２２１〜２３６    回路基板
２４０    信号光入出射端
３００    光バス
３１２    散乱体
３１５    光伝送層
３３０    光源
３３１    入射光
３３２    反射光
３３３    透過光
【図１】
0003588904.tif 000002
【図２】
0003588904.tif 000003
【図３】
0003588904.tif 000004
【図４】
0003588904.tif 000005
【図５】
0003588904.tif 000006
【図６】
0003588904.tif 000007